(57)【要約】【課題】鉄筋トラスを金属デッキの上面に確実に固定することができ、十分な強度を有するスラブを構築することができるスラブ構築材を提供する。【解決手段】スラブ構築材１０Ａは、所定面積の金属デッキ１１と、金属デッキ１１の上面１６に設置されて前後方向へ延びる複数の鉄筋トラス１２と、金属デッキ１１の上面１６に位置して横方向へ延びていて前後方向へ所定寸法離間して並ぶ複数の横筋１３とを備えている。スラブ構築材１０Ａでは、鉄筋トラス１２のラチス筋２６Ａ，Ｂの上端凸部２７が上端筋２４に溶接され、ラチス筋２６Ａ，Ｂの中間部２８が下端筋２５Ａ，Ｂに溶接され、それら横筋１３がそれらラチス筋２６Ａ，Ｂの下端凹部２９の底部分３０に配置されて金属デッキ１１に作られた凸部１８に溶接され、それらラチス筋２６Ａ，Ｂの下端凹部２９が金属デッキ１１の上面１６とそれら横筋１３とに挟まれている。【選択図】図１
2013163914.tif 000002
【特許請求の範囲】
【請求項１】
所定面積のスラブを構築するためのスラブ構築材において、
前記スラブ構築材が、前後方向へ延びる両側縁部および横方向へ延びる両端縁部を有する所定面積の金属デッキと、前記金属デッキの上面に設置されて前後方向へ延びる複数の鉄筋トラスと、前記金属デッキの上面に位置して横方向へ延びていて前後方向へ所定寸法離間して並ぶ複数の横筋とを備え、
前記金属デッキが、その上面から上方へ突出して前後方向へ延びていて横方向へ所定寸法離間して並ぶ複数の凸部を有し、前記鉄筋トラスが、横方向へ並ぶ一対の前記凸部の間であって前記金属デッキの上面から上方に位置して前後方向へ延びる上端筋と、前記一対の凸部の間であって前記金属デッキと前記上端筋との間に位置して前後方向へ延びる一対の下端筋と、前記一対の凸部の間であって前記金属デッキと前記上端筋との間で上下方向へ波状に曲折を繰り返しながら前後方向へ延びる一対のラチス筋とから形成され、
それらラチス筋が、前記上端筋に当接して凸状に曲折する上端凸部から前記金属デッキの上面に当接して凹状に曲折する下端凹部に向かって横方向外方へ末広がりになり、それらラチス筋の上端凸部が、前記上端筋に溶接され、それらラチス筋の中間部が、前記下端筋に溶接され、それら横筋が、それらラチス筋の下端凹部に配置されて前記金属デッキに作られた凸部に溶接され、それらラチス筋の下端凹部が、前記金属デッキの上面とそれら横筋とに挟まれていることを特徴とするスラブ構築材。
【請求項２】
前記ラチス筋が、断面円形の金属棒から作られ、前記凸部の前記金属デッキの上面からの高さ寸法が、前記ラチス筋の直径と略同一またはわずかに大きく、前記スラブ構築材では、前記横筋を前記ラチス筋の下端凹部に配置したときに、前記横筋が前記凸部の頂部分に当接する請求項１に記載のスラブ構築材。
【請求項３】
前記横筋が、断面円形の金属棒から作られ、前記スラブ構築材では、前記横筋を前記ラチス筋の下端凹部に配置したときに、前記横筋が前記ラチス筋の下端凹部の底部分に位置するように該下端凹部が略Ｖ字状に折り曲げられている請求項１または請求項２に記載のスラブ構築材。
【請求項４】
それら下端筋が、それらラチス筋の外側に位置するとともに、前記一対の凸部の内側に位置し、それらラチス筋の下端凹部が、前記一対の凸部の内側に位置し、前記横筋と前記凸部とが、スポット溶接によって溶着されている請求項１ないし請求項３いずれかに記載のスラブ構築材。
【請求項５】
それら下端筋が、それらラチス筋の内側に位置するとともに、前記一対の凸部の内側に位置し、それらラチス筋の下端凹部が、前記一対の凸部の内側に位置し、前記横筋と前記凸部とが、スポット溶接によって溶着されている請求項１ないし請求項３いずれかに記載のスラブ構築材。
【請求項６】
前記金属デッキの一方の側縁部が、該デッキの下方へ折り曲げられて第１係合部を形成し、前記金属デッキの他方の側縁部が、該デッキの上方へ折り曲げられて前記第１係合部と係合する第２係合部を形成し、前記金属デッキの他方の側縁部であって前記第２係合部近傍に延びる前記横筋の端部が、前記凸部から前記金属デッキの上面に向かって下方へ折り曲げられている請求項１ないし請求項５いずれかに記載のスラブ構築材。
【請求項７】
前記スラブ構築材では、それら鉄筋トラスどうしが横方向へ所定寸法離間して並び、隣接する鉄筋トラスの間に前後方向へ延びるボイドが設置されている請求項１ないし請求項６いずれかに記載のスラブ構築材。
【発明の詳細な説明】
【技術分野】
【０００１】
本発明は、鉄骨建造物や鉄筋コンクリート建造物のスラブを構築するためのスラブ構築材に関する。
【背景技術】
【０００２】
メッキ処理が施された所定面積の鉄板と、鉄板の上面に設置された複数の鉄筋トラスとから形成され、横梁の間に架け渡し、普通コンクリートや軽量コンクリートを打設して鉄骨建造物や鉄筋コンクリート建造物のスラブを構築するスラブ構築材が開示されている（特許文献１参照）。鉄筋トラスは、鉄板の上面から上方へ離間して縦方向へ延びる上端筋と、鉄板と上端筋との間に位置して縦方向へ延びる下端筋と、鉄板と上端筋との間で上下方向へ波状に曲折を繰り返しながら前後方向へ延びるラチス筋とから形成されている。
【０００３】
このスラブ構築材では、ラチス筋の上端部が上端筋に当接した状態で上端筋にスポット溶接され、ラチス筋の中間部が下端筋に当接した状態で下端筋にスポット溶接されている。ラチス筋の下端部は、鉄板の上面と並行するように横方向外方へ屈曲しつつ、鉄板にスポット溶接されている。
【先行技術文献】
【特許文献】
【０００４】
【特許文献１】特開２００７−１７０１６１号公報
【発明の概要】
【発明が解決しようとする課題】
【０００５】
前記公報に開示のスラブ構築材において、ラチス筋の下端部を鉄板にスポット溶接するには、電極と移動機構とを備えた自動溶接機が使用される。自動溶接機による溶接の一例としては、ラチス筋の下端部の上方に電極が位置するとともに、鉄板の下面の下方に電極が位置し、ラチス筋の下端部の上に向かって電極が下降し、鉄板の下面に向かって電極が上昇し、それら電極によってラチス筋の下端部と鉄板とを押圧しつつ下端部と鉄板とを挟み込むと同時に、それら電極に所定の電流が流れる。電極から流れた電流によってラチス筋の下端部と鉄板とが瞬時に溶融し、それらが溶着する。
【０００６】
このスラブ構築材では、ラチス筋の下端部と鉄板との溶接がスラブ構築材の前後方向前方から後方へ向かって随時進行するが、ラチス筋および鉄板が電極によって押圧されつつ溶接されるから、溶接後のラチス筋が鉄板の上面に向かって歪み込み、それによって溶接後のラチス筋の後方に位置する溶接前のラチス筋の下端部が鉄板の上面から浮き上がる場合があり、後に溶接されるラチス筋の下端部が鉄板から上方へ離間し、ラチス筋の下端部を鉄板に十分に溶着させることができず、未溶接または溶接不足によって鉄筋トラスと鉄板との固定が不用意に解除されてしまう場合がある。
【０００７】
鉄筋トラス（ラチス筋の下端部）と鉄板との固定が解除されると、スラブ構築材にコンクリートを打設したとしても、コンクリートと鉄板および鉄筋トラスとが鉄筋コンクリート構造を形成することができず、コンクリートに曲げ引張力や曲げ圧縮力、せん断力が作用したときに、それら力によってコンクリートが容易に破損し、強度が不足したスラブが構築されてしまう場合がある。
【０００８】
また、ラチス筋の下端部を鉄板の上面に直接溶接すると、溶接時の熱の作用で、鉄板の上面のみならず、鉄板の下面にも溶接による痕が生じてしまう。鉄板の下面に生じた溶接痕は、スラブ構築材の美観を損なうどころか、防食のために施されたメッキを消失させて鉄を露出させるから、湿気や結露によって溶接痕に錆が発生する場合がある。
【０００９】
本発明の目的は、鉄筋トラスを形成するラチス筋を金属デッキの上面に確実に固定することができ、十分な強度を有するスラブを構築することができるスラブ構築材を提供することにある。本発明の他の目的は、金属デッキの下面に溶接跡が生じることがなく、金属デッキの下面における錆の発生を防ぐことができるスラブ構築材を提供することにある。
【課題を解決するための手段】
【００１０】
前記課題を解決するための本発明の前提は、所定面積のスラブを構築するためのスラブ構築材である。
【００１１】
前記前提における本発明の特徴は、スラブ構築材が、前後方向へ延びる両側縁部および横方向へ延びる両端縁部を有する所定面積の金属デッキと、金属デッキの上面に設置されて前後方向へ延びる複数の鉄筋トラスと、金属デッキの上面に位置して横方向へ延びていて前後方向へ所定寸法離間して並ぶ複数の横筋とを備え、金属デッキが、その上面から上方へ突出して前後方向へ延びていて横方向へ所定寸法離間して並ぶ複数の凸部を有し、鉄筋トラスが、横方向へ並ぶ一対の凸部の間であって金属デッキの上面から上方に位置して前後方向へ延びる上端筋と、一対の凸部の間であって金属デッキと上端筋との間に位置して前後方向へ延びる一対の下端筋と、一対の凸部の間であって金属デッキと上端筋との間で上下方向へ波状に曲折を繰り返しながら前後方向へ延びる一対のラチス筋とから形成され、それらラチス筋が、上端筋に当接して凸状に曲折する上端凸部から金属デッキの上面に当接して凹状に曲折する下端凹部に向かって横方向外方へ末広がりになり、それらラチス筋の上端凸部が上端筋に溶接され、それらラチス筋の中間部が下端筋に溶接され、それら横筋がそれらラチス筋の下端凹部に配置されて金属デッキに作られた凸部に溶接され、それらラチス筋の下端凹部が金属デッキの上面とそれら横筋とに挟まれていることにある。
【００１２】
本発明にかかるスラブ構築材の一例としては、ラチス筋が断面円形の金属棒から作られ、凸部の金属デッキの上面からの高さ寸法がラチス筋の直径と略同一またはわずかに大きく、スラブ構築材では、横筋をラチス筋の下端凹部に配置したときに、横筋が凸部の頂部分に当接する。
【００１３】
本発明にかかるスラブ構築材の他の一例としては、横筋が断面円形の金属棒から作られ、スラブ構築材では、横筋をラチス筋の下端凹部に配置したときに、横筋がラチス筋の下端凹部の底部分に位置するように下端凹部が略Ｖ字状に折り曲げられている。
【００１４】
本発明にかかるスラブ構築材の他の一例としては、それら下端筋がそれらラチス筋の外側に位置するとともに一対の凸部の内側に位置し、それらラチス筋の下端凹部が一対の凸部の内側に位置し、横筋と凸部とがスポット溶接によって溶着されている。
【００１５】
本発明にかかるスラブ構築材の他の一例としては、それら下端筋がそれらラチス筋の内側に位置するとともに一対の凸部の内側に位置し、それらラチス筋の下端凹部が一対の凸部の内側に位置し、横筋と凸部とがスポット溶接によって溶着されている。
【００１６】
本発明にかかるスラブ構築材の他の一例としては、金属デッキの一方の側縁部がデッキの下方へ折り曲げられて第１係合部を形成し、金属デッキの他方の側縁部がデッキの上方へ折り曲げられて第１係合部と係合する第２係合部を形成し、金属デッキの他方の側縁部であって第２係合部近傍に延びる横筋の端部が凸部から金属デッキの上面に向かって下方へ折り曲げられている。
【００１７】
本発明にかかるスラブ構築材の他の一例として、スラブ構築材では、それら鉄筋トラスどうしが横方向へ所定寸法離間して並び、隣接する鉄筋トラスの間に前後方向へ延びるボイドが設置されている。
【発明の効果】
【００１８】
本発明にかかるスラブ構築材によれば、それら横筋がそれらラチス筋の下端凹部に配置されて金属デッキに作られた凸部に溶接され、それらラチス筋の下端凹部が金属デッキの上面とそれら横筋とに挟まれ、それによって鉄筋トラスを形成するラチス筋が金属デッキの上面に固定されるから、鉄筋トラスを金属デッキの上面に確実に固定することができ、鉄筋トラスと金属デッキとの固定が不用意に解除されることはなく、コンクリートと金属デッキおよび鉄筋トラスとが鉄筋コンクリート構造を形成し、スラブ構築材に打設したコンクリートに曲げ引張力や曲げ圧縮力、せん断力が作用したとしても、それら力によってコンクリートが破損することはなく、十分な強度を有するスラブを構築することができる。スラブ構築材は、横筋が金属デッキに作られた凸部に溶接され、ラチス筋の下端凹部が金属デッキの上面に当接するだけであり、下端凹部が金属デッキに溶接されることはないから、美観を損なうことがないことはもちろん、金属デッキの下面に溶接跡が生じることはなく、金属デッキの下面における錆の発生を防ぐことができる。
【００１９】
ラチス筋が断面円形の金属棒から作られ、金属デッキに作られた凸部のデッキの上面からの高さ寸法がラチス筋の直径と略同一またはわずかに大きく、横筋をラチス筋の下端凹部に配置したときに、横筋が凸部の頂部分に当接するスラブ構築材は、横筋が凸部の頂部分に必ず当接するから、横筋を凸部の頂部分に確実に溶接固定することができ、それらラチス筋の下端凹部が金属デッキの上面とそれら横筋とに挟まれることによって、鉄筋トラスを形成するラチス筋が金属デッキの上面に固定され、鉄筋トラスを金属デッキの上面に確実に固定することができる。スラブ構築材は、鉄筋トラスと金属デッキとの固定が不用意に解除されることはなく、スラブ構築材に打設したコンクリートが上下端筋やラチス筋によって確実に補強され、コンクリートと金属デッキおよび鉄筋トラスとが鉄筋コンクリート構造を形成し、コンクリートに曲げ引張力や曲げ圧縮力、せん断力が作用したとしても、それら力によってコンクリートが破損することはなく、十分な強度を有するスラブを構築することができる。
【００２０】
横筋が断面円形の金属棒から作られ、横筋をラチス筋の下端凹部に配置したときに、横筋がラチス筋の下端凹部の底部分に位置するように下端凹部が略Ｖ字状に折り曲げられているスラブ構築材は、ラチス筋の下端凹部をＶ字状に折り曲げることで、横筋をラチス筋の下端凹部に配置したときに、横筋が下端凹部の底部分に位置決めされるから、横筋がずれ動くことはなく、横筋の前後方向のずれを防ぐことができるとともに、横筋を凸部の一定箇所に確実に当接させることができ、ラチス筋に対する横筋の位置決めを別途行う必要はなく、横筋を凸部に確実かつ十分に溶接固定することができる。スラブ構築材は、横筋と凸部とを確実かつ十分に溶接固定することができるから、それらラチス筋の下端凹部が金属デッキの上面とそれら横筋とに挟まれることによって、鉄筋トラスを形成するラチス筋が金属デッキの上面に固定され、鉄筋トラスを金属デッキの上面に確実に固定することができる。
【００２１】
それら下端筋がそれらラチス筋の外側に位置するとともに一対の凸部の内側に位置し、それらラチス筋の下端凹部が一対の凸部の内側に位置し、横筋と凸部とがスポット溶接によって溶着されているスラブ構築材は、横筋と凸部とのスポット溶接において、横筋の上方と凸部の下方とに電極を配置し、それら電極で横筋および凸部を挟み込んで溶接するが、それら下端筋が凸部の内側に位置しているから、下端筋が電極の邪魔になることはなく、それら電極による横筋と凸部との溶接が容易であり、それら電極によって横筋と凸部とを確実に溶接固定することができる。スラブ構築材は、横筋と凸部とを確実に溶接固定することができるから、それらラチス筋の下端凹部が金属デッキの上面とそれら横筋とに挟まれることによって、鉄筋トラスを形成するラチス筋が金属デッキの上面に固定され、鉄筋トラスを金属デッキの上面に確実に固定することができる。
【００２２】
それら下端筋がそれらラチス筋の内側に位置するとともに一対の凸部の内側に位置し、それらラチス筋の下端凹部が一対の凸部の内側に位置し、横筋と凸部とがスポット溶接によって溶着されているスラブ構築材は、横筋と凸部とのスポット溶接において、横筋の上方と凸部の下方とに電極を配置し、それら電極で横筋および凸部を挟み込んで溶接するが、それら下端筋が凸部の内側に位置するとともに、それらラチス筋の下端凹部が凸部の内側に位置しているから、下端筋やラチス筋の下端凹部が電極の邪魔になることはなく、それら電極による横筋と凸部との溶接が容易であり、それら電極によって横筋と凸部とを確実に溶接固定することができる。スラブ構築材は、横筋と凸部とを確実に溶接固定することができるから、それらラチス筋の下端凹部が金属デッキの上面とそれら横筋とに挟まれることによって、鉄筋トラスを形成するラチス筋が金属デッキの上面に固定され、鉄筋トラスを金属デッキの上面に確実に固定することができる。
【００２３】
金属デッキの他方の側縁部であって第２係合部近傍に延びる横筋の端部が凸部から金属デッキの上面に向かって下方へ折り曲げられているスラブ構築材は、第２係合部近傍に延びる横筋の端部が金属デッキの上面に向かって折り曲げられておらず、直状に延びている場合、金属デッキの第１係合部を第２係合部に係合させるときに、横筋の端部がそれら係合部の係合の邪魔になり、それら係合部をスムースに係合させることができないが、第２係合部近傍に延びる横筋の端部が金属デッキの上面に向かって下方へ折り曲げられているから、横筋の端部がそれら係合部の係合の邪魔になることはなく、それら係合部をスムースに係合させることができ、複数のスラブ構築材を横方向へ繋げて所定面積のスラブ構築材の集合体を容易に作ることができる。
【００２４】
それら鉄筋トラスどうしが横方向へ所定寸法離間して並び、隣接する鉄筋トラスの間に前後方向へ延びるボイドが設置されているスラブ構築材は、コンクリートの替わりとしてボイドが利用され、スラブ構築材の全域にコンクリートを打設する必要はなく、ボイドの体積分のコンクリートを省くことができるから、その分の手間と時間とを短縮することができるとともに、スラブ構築のコストを下げることができる。スラブ構築材は、それにコンクリートのみを打設する場合と比較し、ボイドの体積分のコンクリートを省くことができるから、スラブの軽量化を図ることができ、鉄骨建造物や鉄筋コンクリート建造物にかかる荷重を低減することができる。
【図面の簡単な説明】
【００２５】
【図１】一例として示すスラブ構築材の斜視図。
【図２】スラブ構築材の上面図。
【図３】スラブ構築材の正面図。
【図４】スラブ構築材の部分側面図。
【図５】横筋とラチス筋の下端凹部とを拡大して示すそれらの部分拡大図。
【図６】スポット溶接する前の状態で示す横筋と凸部との部分拡大図。
【図７】スポット溶接した後の状態で示す横筋と凸部との部分拡大図。
【図８】１つのスラブ構築材の正面図。
【図９】他の一例として示すスラブ構築材の上面図。
【図１０】スラブ構築材の正面図。
【図１１】スラブ構築材の部分側面図。
【発明を実施するための形態】
【００２６】
一例として示すスラブ構築材１０Ａの斜視図である図１等の添付の図面を参照し、本発明に係るスラブ構築材の詳細を説明すると、以下のとおりである。なお、図２は、スラブ構築材１０Ａの上面図であり、図３は、スラブ構築材１０Ａの正面図である。図４は、スラブ構築材１０Ａの部分側面図であり、図５は、横筋１３とラチス筋２６Ａ，Ｂの下端凹部２９とを拡大して示すそれらの部分拡大図である。図６は、スポット溶接する前の状態で示す横筋１３と凸部１８との部分拡大図であり、図７は、スポット溶接した後の状態で示す横筋１３と凸部１８との部分拡大図である。図８は、１つのスラブ構築材１０Ａの正面図である。図１〜４では、前後方向を矢印Ａ、横方向を矢印Ｂで示し、上下方向を矢印Ｃで示す。
【００２７】
このスラブ構築材１０Ａは、所定面積を有する前後方向へ長い金属デッキ１１と、金属デッキ１１に配置されて横方向へ並ぶ複数の鉄筋トラス１２と、金属デッキ１１に配置されて前後方向へ等間隔で並ぶ複数の横筋１３（固定筋）とから作られている。スラブ構築材１０Ａは、所定面積の床スラブや天井スラブ、屋根スラブ等のスラブ（図示せず）を構築するために使用される。
【００２８】
金属デッキ１１は、前後方向へ延びる両側縁部１４Ａ，１４Ｂと横方向へ延びる両端縁部１５Ａ，１５Ｂとを有するとともに、フラットな上面１６および下面１７を有する。金属デッキ１１には、鉄板が使用されており、その上下面１６，１７にメッキ処理が施されている。なお、金属デッキ１１としてプリント金属板を使用することもできる。プリント金属板の下面には、床に用いられる各種の模様や天井に用いられる各種の模様等の所定のデザイン（図示せず）が印刷（プリント）されている。
【００２９】
金属デッキ１１には、その上面１６から上方へ突出して前後方向へ延びる複数の凸部１８が作られている。それら凸部１８は、横方向へ所定寸法離間して並んでいる。それら凸部１８は、金属デッキ１１の上面１６から上方へ略直状に延びていて横方向へ所定寸法離間する一対の両側部分１９と、それら両側部分１９の間において略水平に延びる頂部分２０とを有する。両側部分の間には、後記する電極が位置する空間が形成されている。頂部分２０には、その中央に位置して上方へ凸となる突起２１が作られている。
【００３０】
金属デッキ１１の一方の側縁部１４Ａには、第１フック２２（第１係合部）が作られ、他方の側縁部１４Ｂには、第２フック２３（第２係合部）が作られている。第１フック２２は、金属デッキ１１の一方の側縁部１４Ａをデッキ１１の上面１６から上方へ向かって折り曲げた後、さらに側縁部１４Ａをデッキ１１の下面１７から下方であって横方向内方へ折り曲げることから作られている。第２フック２３は、金属デッキ１１の他方の側縁部１４Ｂをデッキの上面から上方であって横方向内方へ折り曲げることから作られている。
【００３１】
各金属デッキ１１は、一方の金属デッキ１１の第１フック２２に他方の金属デッキ１１の第２フック２３を引っ掛け、それらフック２２，２３どうしを互いに係合させることで、各金属デッキ１１を横方向へつなげ、複数の金属デッキ１１を連結した状態で横方向へ並べることができる。なお、金属デッキ１１の面積に特に限定はなく、その面積を自由に変えることができる。
【００３２】
それら鉄筋トラス１２は、金属デッキ１１の上面１６であってデッキ１１に作られた凸部１８の間に配置されて前後方向へ互いに平行して延びている。なお、このスラブ構築材１０Ａでは、金属デッキ１１に２つの鉄筋トラス１２が設置されているが、金属デッキ１１に設置する鉄筋トラス１２の数に特に限定はなく、金属デッキ１１の面積やトラス１２の大きさに応じてデッキ１１に設置するトラス１２の数を自由に決めることができる。
【００３３】
それら鉄筋トラス１１は、１本の上端筋２４と２本（一対）の下端筋２５Ａ，Ｂと２本（一対）のラチス筋２６Ａ，Ｂとから組み立てられている。それら上端筋２４は、鉄を延伸して作られた断面円形の鉄棒であるが、その周面に節（リブ）を有する異形鉄棒を使用することもできる。上端筋２４は、横方向へ並ぶ一対の凸部１８の間に位置し、金属デッキ１１の上面１６から上方へ所定寸法離間して前後方向へ直状に延びている。各鉄筋トラス１１において横方向へ並ぶ上端筋２４の前後方向の長さ寸法は同一であり、それら上端筋２４が互いに平行して延びている。
【００３４】
それら下端筋２５Ａ，Ｂは、鉄を延伸して作られた断面円形の鉄棒であるが、その周面に節（リブ）を有する異形鉄棒を使用することもできる。下端筋２５Ａ，Ｂは、横方向へ並ぶ一対の凸部１８の間に位置（それら凸部１８から内側へ所定寸法離間して位置）し、それらラチス筋２６Ａ，Ｂの外側に位置するとともに、上端筋２４の下方であって上端筋２４の横方向両側に位置している。それら下端筋２５Ａ，Ｂは、金属デッキ１１の上面１６から上方へ所定寸法離間して前後方向へ直状に延びている。各鉄筋トラス１２において横方向へ並ぶ下端筋２５Ａ，Ｂの前後方向の長さ寸法は同一であり、それら下端筋２５Ａ，Ｂが互いに平行して延びている。
【００３５】
それらラチス筋２６Ａ，Ｂは、鉄を延伸して作られた断面円形の鉄棒である。ラチス筋２６Ａ，Ｂは、横方向へ並ぶ一対の凸部１８の間に位置（それら凸部１８から内側へ所定寸法離間して位置）するとともに、金属デッキ１１と上端筋２４との間に位置し、上下方向へ波状に曲折（起伏）を繰り返しながら前後方向へ延びている。それらラチス筋２６Ａ，Ｂは、上端筋２４の側に位置する上端凸部２７と、金属デッキ１１の上面１６の側に位置する下端凹部２９と、上端凸部２７および下端凹部２９の間に延びる中間部２８とを有する。
【００３６】
鉄筋トラス１２を形成する一対のラチス筋２６Ａ，Ｂは、上端筋２４を挟んで横方向へ対称型に配置されている。したがって、横方向に並ぶ一対のラチス筋２６Ａ，Ｂの上端凸部２７どうしの位置が一致し、中間部２８どうしの位置が一致するとともに、下端凹部２９どうしの位置が一致している。各ラチス筋２６Ａ，Ｂは、前後方向に隣接する上端凸部２７どうしの離間寸法が等しく、上端凸部２７が縦方向へ等間隔で並び、前後方向に隣接する下端凹部２９どうしの離間寸法が等しく、下端凹部２９が前後方向へ等間隔で並んでいる。
【００３７】
ラチス筋２６Ａ，Ｂは、図３に示すように、金属デッキ１１に対して所定角度で傾斜し、その上端凸部２７から下端凹部２９に向かって横方向外方へ末広がりになっている。なお、ラチス筋２６Ａ，Ｂの傾斜角度について特に限定はなく、一対の凸部１８の間に位置（それら凸部１８から内側へ所定寸法離間して位置）すれば、その傾斜角度を自由に変えることができる。ラチス筋２６Ａ，Ｂの上端凸部２７は、凸状に折り曲げられ、上下方向上方へ向かって凸となるように曲折している。上端凸部２７は、略逆Ｖ字状を呈する。上端凸部２７は、上端筋２４の周面に当接し、上端凸部２７のうちの上端筋２４と交差する部分（交差箇所）が上端筋２４にスポット溶接によって溶着（固定）されている。
【００３８】
ラチス筋２６Ａ，Ｂの中間部２８は、下端筋２５Ａ，Ｂの内側に位置し、中間部２８のうちの下端筋２５Ａ，Ｂと交差する部分（交差箇所）が下端筋２５Ａ，Ｂにスポット溶接によって溶着（固定）されている。ラチス筋２６Ａ，Ｂの下端凹部２９は、凹状に折り曲げられ、上下方向下方へ向かって凹となるように曲折している。下端凹部２９は、略Ｖ字状を呈し、その底部分３０がそれら凸部１８から内側へ所定寸法離間して位置するとともに、その底部分３０が金属デッキ１１の上面１６に当接している。なお、下端凹部２９の底部分３０は、頂点（底部分３０を逆さにしたときの頂点）を有するのみならず、後記する横筋１３の曲率と略同一の曲率を有し、または、横筋１３の曲率よりもわずかに大きな曲率を有する。
【００３９】
上端筋２４とラチス筋２６Ａ，Ｂの上端凸部２７とのスポット溶接では、図示はしていないが、電極と移動機構とを備えた自動溶接機が使用される。自動溶接機による溶接の一例では、上端筋２４および上端凸部２７を各電極で押圧しつつ、それら電極で上端筋２４と上端凸部２７とを挟み込む。電極で上端筋２４と上端凸部２７とを挟み込むと同時に、それら電極に所定の電流を流す（所定の電圧を印可する）。それら電極から流れた電流は、上端筋２４と上端凸部２７とに流れ、上端筋２４および上端凸部２７とを加熱溶融する。次に、それら電極が上端筋２４および上端凸部２７から離間し、上端筋２４および上端凸部２７が自然に冷却され、上端筋２４と上端凸部２７とが溶着する。
【００４０】
下端筋２５Ａ，Ｂとラチス筋２６Ａ，Ｂの中間部２８とのスポット溶接では、下端筋２５Ａ，Ｂおよび中間部２８を各電極で押圧し、それら電極で下端筋２５Ａ，Ｂと中間部２８とを挟み込む。電極で下端筋２５Ａ，Ｂと中間部２８とを挟み込むと同時に、それら電極に所定の電流を流す（所定の電圧を印可する）。それら電極から流れた電流は、下端筋２５Ａ，Ｂと中間部２８とに流れ、下端筋２５Ａ，Ｂおよび中間部２８とを加熱溶融する。次に、それら電極が下端筋２５Ａ，Ｂおよび中間部２８から離間し、下端筋２５Ａ，Ｂおよび中間部２８が自然に冷却され、下端筋２５Ａ，Ｂと中間部２８とが溶着する。
【００４１】
各ラチス筋２６Ａ，Ｂの上下方向へ波状に曲折を繰り返す角度は一定であり、単位長さ（たとえば１ｍ）当たりのラチス筋２６Ａ，Ｂの曲折を繰り返す回数は同一である。なお、ラチス筋２６Ａ，Ｂの上下方向へ波状に曲折を繰り返す角度は自由に変えることができ、その角度を調節（単位長さ当たりのラチス筋２６Ａ，Ｂの曲折を繰り返す回数を調節）することで、ラチス筋２６Ａ，Ｂの上端凸部２７どうしの縦方向の離間寸法を調節することができ、ラチス筋２６Ａ，Ｂの下端凹部２９どうしの縦方向の離間寸法を調節することができる。
【００４２】
それら横筋１３は、鉄を延伸して作られた断面円形の鉄棒であり、横方向へ直状に延びている。それら横筋１３の横方向の長さ寸法は同一である。横筋１３は、金属デッキ１１の上面１６であってそれらラチス筋２６Ａ，Ｂの下端凹部２９の底部分３０の上に配置されている。それら横筋１３では、金属デッキ１１の他方の側縁部１４Ｂであって第２フック２３近傍に延びる端部３１が凸部１８から金属デッキ１１の上面１６に向かって下方へ折り曲げられている。それら横筋１３は、下端凹部２９の底部分３０の曲率と略同一の曲率を有し、または、下端凹部２９の底部分３０の曲率よりもわずかに小さな曲率を有する。
【００４３】
横筋１３と凸部１８とをスポット溶接する前において、それら横筋１３を下端凹部２９の底部分３０の上に配置すると、横筋１３が下端凹部２９の底部分３０の頂点（底部分３０を逆さにしたときの頂点）に落下し、横筋１３が底部分３０に位置決めされるとともに、図６に示すように、横筋１３の周面が金属デッキ１１に作られた凸部１８の頂部分２０の突起２１に載置される。それら横筋１３は、図７に示すように、凸部１８の頂部分２０にスポット溶接によって溶着（固定）されている。スラブ構築材１０Ａでは、それらラチス筋２６Ａ，Ｂの下端凹部２９が金属デッキ１１の上面１６とそれら横筋１３とに挟まれ、デッキ１１の上面１６に固定されている。
【００４４】
横筋１３と凸部１８とのスポット溶接では、図示はしていないが、横筋１３の上方に一方の電極を配置し、金属デッキ１１に作られた凸部１８の両側部分１９の間に他方の電極を配置する。他方の電極は、凸部１８の頂部分２０に当接している。一方の電極を降下させ、その電極で横筋１３の周面を下方へ押圧し、それら電極で横筋１３と凸部１８の頂部分２０とを挟み込む。それら電極で横筋１３と凸部１８の頂部分２０とを挟み込むと同時に、それら電極に所定の電流を流す（所定の電圧を印可する）。
【００４５】
それら電極から流れた電流は、横筋１３と凸部１８とに流れ、横筋１３と凸部１８の頂部分２０とを加熱溶融する。次に、一方の電極が上昇し、一方の電極が横筋１３から離間し、横筋１３および凸部１８が自然に冷却され、横筋１３と凸部１８の頂部分２０とが溶着する。横筋１３と凸部１８との溶接時では、凸部１８の頂部分２０に作られた突起２１が押し潰されるとともに、凸部１８の頂部分２０の全体が横筋１３の周面に溶着し、横筋１３と凸部１８とが強固に固定される。
【００４６】
スラブ構築材１０Ａは、それら下端筋２５Ａ，Ｂが凸部１８の内側に位置しているから、下端筋２５Ａ，Ｂが電極の下降・上昇の邪魔になることはなく、それら電極によって横筋１３と凸部１８の頂部分２０とを確実に溶接固定することができる。なお、凸部１８の頂部分２０に突起２１を作ることで、横筋１３と凸部１８とを確実に接触させることができ、凸部１８の突起２１を介して凸部１８の頂部分２０と横筋１３とを確実に導通状態にすることができ、スポット溶接によって横筋１３と凸部１８の頂部分２０とを確実に溶着することができる。
【００４７】
上端筋２４や下端筋２５Ａ，Ｂ、ラチス筋２６Ａ，Ｂ、横筋１３は、それらの太さについて特に限はなく、構築する床スラブや天井スラブ、屋根スラブ等のスラブの大きさやスラブに必要な強度に合わせて上端筋２４や下端筋２５Ａ，Ｂ、ラチス筋２６Ａ，Ｂ、横筋１３の太さを自由に変えることができる。上端筋２４や下端筋２５Ａ，Ｂ、ラチス筋２６Ａ，Ｂ、横筋１３は鉄から作られているが、鉄以外の金属から作ることもできる。また、上端筋２４や下端筋２５Ａ，Ｂ、ラチス筋２６Ａ，Ｂ、横筋１３に鉄を用いる場合は、それらにメッキ等の防錆処理が施されていてもよい。
【００４８】
このスラブ構築材１０Ａを使用してスラブを構築する一例としては、金属デッキ１１の上面１６に鉄筋トラス１２と横筋１３とを設置して複数のスラブ構築材１０Ａを作った後、各スラブ構築材１０Ａの第１フック２２と第２フック２３とを係合させ、それらスラブ構築材１０Ａを横方向へ連結し、スラブ構築材１０Ａの集合体を作る。次に、連結したスラブ構築材１０Ａの集合体を建築物の横梁の間に配置固定する。スラブ構築材１０Ａの集合体を建築物の横梁の間に固定した後、金属デッキ１１の上方から型枠（図示せず）内にコンクリート（図示せず）を打設し、コンクリートを所定期間養生する。コンクリートの養生期間が経過した後、型枠を外し、床スラブや天井スラブ、屋根スラブ等のスラブが完成する。
【００４９】
コンクリートを形成する原料セメントには、プレミックスセメント，ポルトランドセメント，高炉セメント，フライアッシュセメント，シリカセメント等の既存のそれらを使用することができる。水には、水道水、河川水、湖沼水、井戸水、地下水等が使用することができる。骨材には、粗骨材や細骨材が使用することができる。
【００５０】
スラブ構築材１０Ａでは、凸部１８の金属デッキ１１の上面１６からの高さ寸法Ｌ１（両側部分１９のデッキ１１の上面１６からの高さ寸法Ｌ１）がラチス筋２６Ａ，Ｂの直径Ｌ２と略同一またはわずかに大きい。したがって、各横筋１３をそれらラチス筋２６Ａ，Ｂの下端凹部２９の底部分３０の上に配置したときに、それら横筋１３が凸部１８の頂部分２０（突起２１）に必ず当接する。スラブ構築材１０Ａでは、各横筋１３が凸部１８の頂部分２０に当接するから、横筋１３を凸部１８の頂部分２０に確実に溶接固定することができ、それらラチス筋２６Ａ，Ｂの下端凹部２９を金属デッキ１１の上面１６とそれら横筋１３とで挟むことによって、ラチス筋２６Ａ，Ｂを金属デッキ１１の上面１６に確実に固定することができる。
【００５１】
スラブ構築材１０Ａは、それら横筋１３がそれらラチス筋２６Ａ，Ｂの下端凹部２９の底部分３０に配置されて金属デッキ１１に作られた凸部１８の頂部分２０に溶接され、それらラチス筋２６Ａ，Ｂの下端凹部２９が金属デッキ１１の上面１６とそれら横筋１３とに挟まれ、それによって鉄筋トラス１２を形成するラチス筋２６Ａ，Ｂが金属デッキ１１の上面１６に固定されるから、鉄筋トラス１２を金属デッキ１１の上面１６に確実に固定することができ、金属デッキ１１と鉄筋トラス１２との固定が不用意に解除されることはなく、コンクリートと金属デッキ１１および鉄筋トラス１２とが鉄筋コンクリート構造を形成し、スラブ構築材１０Ａに打設したコンクリートに曲げ引張力や曲げ圧縮力、せん断力が作用したとしても、それら力によってコンクリートが破損することはなく、十分な強度を有するスラブを構築することができる。
【００５２】
スラブ構築材１０Ａでは、ラチス筋２６Ａ，Ｂの下端凹部２９が略Ｖ字状に折り曲げられ、底部分３０が頂点（底部分３０を逆さにしたときの頂点）を有するのみならず、底部分３０が横筋１３の曲率と略同一の曲率を有し、または、横筋１３の曲率よりもわずかに大きな曲率（横筋１３が底部分３０の曲率よりもわずかに小さい曲率）を有するから、横筋１３をラチス筋２６Ａ，Ｂの下端凹部２９の底部分３０の上に配置したときに、横筋１３が下端凹部２９の底部分３０の頂点に落下し、横筋１３が下端凹部２９の底部分３０に位置決めされ、横筋１３がずれ動くことはなく、横筋１３の前後方向のずれを防ぐことができるとともに、横筋１３を凸部１８の一定箇所に確実に当接させることができ、ラチス筋２６Ａ，Ｂに対する横筋１３の位置決めを別途行う必要はなく、横筋１３を凸部１８の頂部分２０に確実に溶接固定することができる。
【００５３】
スラブ構築材１０Ａは、横筋１３が金属デッキ１１に作られた凸部１８の頂部分２０に溶接され、ラチス筋２６Ａ，Ｂの下端凹部２９が金属デッキの上面に当接するだけであり、下端凹部２９が金属デッキ１１に溶接されることはないから、美観を損なうことがないことはもちろん、金属デッキ１１の下面１７に溶接跡が生じることがなく、金属デッキ１１の下面１７における錆の発生を防ぐことができる。
【００５４】
第２フック２３近傍に延びる横筋１３の端部３１が凸部１８から金属デッキ１１の上面１６に向かって折り曲げられておらず、直状に延びている場合、金属デッキ１１の第１フック２２を第２フック２３に係合させるときに、横筋１３の端部３１がそれらフック２２，２３の係合の邪魔になり、それらフック２２，２３をスムースに係合させることができないが、スラブ構築材１０Ａは、第２フック２３近傍に延びる横筋１３の端部３１が凸部１８から金属デッキ１１の上面１６に向かって下方へ折り曲げられているから、横筋１３の端部３１がそれらフック２２，２３の係合の邪魔になることはなく、それらフック２２，２３をスムースに係合させることができ、複数のスラブ構築材１０Ａを横方向へ繋げて所定面積のスラブ構築材１０Ａの集合体を作ることができる。
【００５５】
図９は、他の一例として示すスラブ構築材１０Ｂの上面図であり、図１０は、スラブ構築材１０Ｂの正面図である。図１１は、スラブ構築材１０Ｂの部分側面図である。図９〜１１では、前後方向を矢印Ａ、横方向を矢印Ｂで示し、上下方向を矢印Ｃで示す。このスラブ構築材１０Ｂが図１のそれと異なるところは、それら下端筋２５Ａ，Ｂがそれらラチス筋２６Ａ，Ｂの内側に位置している点、隣接する鉄筋トラス１２の間に前後方向へ延びるボイド３２が設置されている点にあり、その他の構成は図１のスラブ構築材１０Ａと同一であるから、図１と同一の符号を付すとともに、図１の説明を援用し、このスラブ構築材１０Ｂにおけるその他の構成の詳細な説明は省略する。
【００５６】
このスラブ構築材１０Ｂは、所定面積を有する前後方向へ長い金属デッキ１１と、金属デッキ１１の上面１６に配置されて横方向へ並ぶ複数の鉄筋トラス１２と、金属デッキ１１の上面１６に配置されて前後方向へ等間隔で並ぶ複数の横筋１３と、複数のボイド３２とから作られている。スラブ構築材１０Ｂは、所定面積の床スラブや天井スラブ、屋根スラブ等のスラブ（図示せず）を構築するために使用される。
【００５７】
金属デッキ１１は、前後方向へ延びる両側縁部１４Ａ，１４Ｂと横方向へ延びる両端縁部１５Ａ，１５Ｂとを有するとともに、フラットな上面１６および下面１７を有する。金属デッキ１１には、その上面１６から上方へ突出して前後方向へ延びる複数の凸部１８が作られている。それら凸部１８は、金属デッキ１１の上面１６から上方へ略直状に延びる一対の両側部分１９と、それら両側部分１９の間において略水平に延びる頂部分２０とを有する（図６，７援用）。頂部分２０には、その中央に位置して上方へ凸となる突起２１が作られている。金属デッキ１１の一方の側縁部１４Ａには、図１の金属デッキ１１と同様の第１フック２２（第１係合部）が作られ、他方の側縁部１４Ｂには、第２フック２３（第２係合部）が作られている。
【００５８】
それら鉄筋トラス１２は、金属デッキ１１の上面１６であってデッキ１１の凸部１８の間に配置されて前後方向へ平行して延びている。それら鉄筋トラス１２は、１本の上端筋２４と２本（一対）の下端筋２５Ａ，Ｂと２本（一対）のラチス筋２６Ａ，Ｂとから組み立てられている。上端筋２４は、横方向へ並ぶ一対の凸部１８の間に位置し、金属デッキ１１の上面１６から上方へ所定寸法離間して前後方向へ直状に延びている。
【００５９】
それら下端筋２５Ａ，Ｂは、横方向へ並ぶ一対の凸部１８の間に位置（それら凸部１８から内側へ所定寸法離間して位置）し、それらラチス筋２６Ａ，Ｂの内側に位置するとともに、上端筋２４の下方であって上端筋２４の横方向両側に位置している。下端筋２５Ａ，Ｂは、金属デッキ１１の上面１６から上方へ所定寸法離間して前後方向へ直状に延びている。
【００６０】
それらラチス筋２６Ａ，Ｂは、横方向へ並ぶ一対の凸部１８の間（それら凸部１８から内側）に位置するとともに、金属デッキ１１と上端筋２４との間に位置し、上下方向へ波状に曲折（起伏）を繰り返しながら前後方向へ延びている。それらラチス筋２６Ａ，Ｂは、上端筋２４の側に位置する上端凸部２７と、金属デッキ１１の上面１６の側に位置する下端凹部２９と、上端凸部２７および下端凹部２９の間に延びる中間部２８とを有する。
【００６１】
鉄筋トラス１２を形成する一対のラチス筋２６Ａ，Ｂは、上端筋２４を挟んで横方向へ対称型に配置されている。ラチス筋２６Ａ，Ｂは、金属デッキ１１に対して所定角度で傾斜し、その上端凸部２７から下端凹部２９に向かって横方向外方へ末広がりになっている。ラチス筋２６Ａ，Ｂの上端凸部２７は、凸状に折り曲げられ、上下方向上方へ向かって凸となるように曲折して略逆Ｖ字状を呈する。上端凸部２７は、上端筋２４の周面に当接し、上端凸部２７のうちの上端筋２４と交差する部分が上端筋２４にスポット溶接によって溶着（固定）されている。
【００６２】
ラチス筋２６Ａ，Ｂの中間部２８は、下端筋２５Ａ，Ｂの外側に位置し、中間部２８のうちの下端筋２５Ａ，Ｂと交差する部分が下端筋２５Ａ，Ｂにスポット溶接によって溶着（固定）されている。ラチス筋２６Ａ，Ｂの下端凹部２９は、凹状に折り曲げられ、上下方向下方へ向かって凹となるように曲折して略Ｖ字状を呈する。下端凹部２９は、その底部分３０がそれら凸部１８の側部分１９の下端に当接するとともに、底部分３０が金属デッキ１１の上面１６に当接している。
【００６３】
なお、下端凹部２９の底部分３０は、頂点（底部分３０を逆さにしたときの頂点）を有するのみならず、横筋１３の曲率と略同一の曲率を有し、または、横筋１３の曲率よりもわずかに大きな曲率を有する。上端筋２４とラチス筋２６Ａ，Ｂの上端凸部２７とのスポット溶接や下端筋２５Ａ，Ｂとラチス筋２６Ａ，Ｂの中間部２８とのスポット溶接は、図１の鉄筋トラス１１のそれらと同一である。
【００６４】
鉄筋トラス１２を一対の凸部１８の間に配置すると、ラチス筋２６Ａ，Ｂの下端凹部２９の底部分３０がそれら凸部１８の側部分１９の下端に当接するから、鉄筋トラス１２の横方向の位置決めが容易であり、横方向の離間寸法を計りながら鉄筋トラス１２を金属デッキ１１の上面１６に配置する必要はなく、金属デッキ１１の上面１６において鉄筋トラス１２を横方向へ所定の間隔で離間平行させることができ、鉄筋トラス１２が横方向へ整然と並んだスラブ構築材１０Ａを簡単に組み立てることができる。
【００６５】
それら横筋１３は、その横方向の長さ寸法が同一であり、横方向へ直状に延びている。横筋１３は、それらラチス筋２６Ａ，Ｂの下端凹部２９の底部分３０の上に配置されている。それら横筋１３では、金属デッキ１１の他方の側縁部１４Ｂであって第２フック２３近傍に延びる端部３１が凸部１８から金属デッキ１１の上面１６に向かって下方へ折り曲げられている。それら横筋１３は、下端凹部２９の底部分３０の曲率と略同一の曲率を有し、または、下端凹部２９の底部分３０の曲率よりもわずかに小さな曲率を有する。
【００６６】
横筋１３と凸部１８とをスポット溶接する前において、それら横筋１３を下端凹部２９の底部分３０の上に配置すると、横筋１３が下端凹部２９の底部分３０の頂点（底部分３０を逆さにしたときの頂点）に落下し、横筋１３が下端凹部２９の底部分３０に位置決めされるとともに、横筋１３の周面が金属デッキ１１に作られた凸部１８の頂部分２０の突起２１に載置される（図６援用）。それら横筋１３は、それら凸部１８の頂部分２０にスポット溶接によって溶着（固定）されている（図７援用）。スラブ構築材１０Ａでは、それらラチス筋２６Ａ，Ｂの下端凹部２９が金属デッキ１１の上面１６とそれら横筋１３とに挟まれ、デッキ１１の上面１６に固定されている。横筋１３と凸部１８とのスポット溶接は、図１の鉄筋トラス１２のそれと同一である。
【００６７】
スラブ構築材１０Ｂは、それら下端筋２５Ａ，Ｂが凸部１８の内側に位置しているから、下端筋２５Ａ，Ｂが電極の邪魔になることはなく、それら電極によって横筋１３と凸部１８とを確実に溶接固定することができる。なお、凸部１８の頂部分２０に突起２１を作ることで、横筋１３と凸部１８とを確実に接触させることができ、凸部１８の突起２１を介して凸部１８と横筋１３とを確実に導通状態にすることができ、スポット溶接によって横筋１３と凸部１８の頂部分２０とを確実に溶着することができる。
【００６８】
それらボイド３２は、隣接する鉄筋トラス１２の間に配置され、前後方向へ延びている。ボイド３２は、金属板から作られた中空筒状の管材である。それらボイド３２は、鉄筋トラス１２のうちの横筋１３の上に載置された状態で、所定の固定手段（図示せず）によってスラブ構築材１０Ｂに固定されている。なお、ボイド３２として、管材の他に、発泡体（硬質ウレタンフォーム、フェノールフォーム、ビーズ法ポリスチレンフォーム）を使用することもできる。
【００６９】
このスラブ構築材１０Ｂを使用してスラブを構築する一例としては、金属デッキ１１の上面１６に鉄筋トラス１２と横筋１３とを設置して複数のスラブ構築材１０Ｂを作った後、各スラブ構築材１０Ｂの第１フック２２と第２フック２３とを係合させ、それらスラブ構築材１０Ａを横方向へ連結し、スラブ構築材１０Ａの集合体を作る。次に、鉄筋トラス１２の間にボイド３２を配置し、それらボイド３２をスラブ構築材１０Ｂに固定した後、スラブ構築材１０Ｂの集合体を建築物の横梁の間に配置固定する。スラブ構築材１０Ｂの集合体を建築物の横梁の間に固定した後、金属デッキ１１の上方から型枠（図示せず）内にコンクリート（図示せず）を打設し、コンクリートを所定期間養生する。コンクリートの養生期間が経過した後、型枠を外し、床スラブや天井スラブ、屋根スラブ等のスラブが完成する。
【００７０】
スラブ構築材１０Ｂでは、凸部１８の金属デッキ１１の上面１６からの高さ寸法Ｌ１（両側部分１９のデッキ１１の上面１６からの高さ寸法Ｌ１）がラチス筋２６Ａ，Ｂの直径Ｌ２と略同一またはわずかに大きい（図５援用）。したがって、各横筋１３をそれらラチス筋２６Ａ，Ｂの下端凹部２９の底部分３０の上に配置したときに、それら横筋１３が凸部１８の頂部分２０（突起２１）に必ず当接する。スラブ構築材１０Ｂでは、各横筋１３が凸部１８の頂部分２０に当接するから、横筋１３を凸部１８の頂部分２０に確実に溶接固定することができ、それらラチス筋２６Ａ，Ｂの下端凹部２９を金属デッキ１１の上面１６とそれら横筋１３とで挟むことによって、ラチス筋２６Ａ，Ｂを金属デッキ１１の上面１６に確実に固定することができる。
【００７１】
スラブ構築材１０Ｂは、それら横筋１３がそれらラチス筋２６Ａ，Ｂの下端凹部２９の底部分３０に配置されて金属デッキ１１に作られた凸部１８の頂部分２０に溶接され、それらラチス筋２６Ａ，Ｂの下端凹部２９が金属デッキ１１の上面１６とそれら横筋１３とに挟まれ、それによって鉄筋トラス１２を形成するラチス筋２６Ａ，Ｂが金属デッキ１１の上面１６に固定されるから、鉄筋トラス１２を金属デッキ１１の上面１６に確実に固定することができ、金属デッキ１１と鉄筋トラス１２との固定が不用意に解除されることはなく、コンクリートと金属デッキ１１および鉄筋トラス１２とが鉄筋コンクリート構造を形成し、スラブ構築材１０Ｂに打設したコンクリートに曲げ引張力や曲げ圧縮力、せん断力が作用したとしても、それら力によってコンクリートが破損することはなく、十分な強度を有するスラブを構築することができる。
【００７２】
スラブ構築材１０Ｂでは、ラチス筋２６Ａ，Ｂの下端凹部２９が略Ｖ字状に折り曲げられ、底部分３０が頂点（底部分３０を逆さにしたときの頂点）を有するのみならず、底部分３０が横筋１３の曲率と略同一の曲率を有し、または、横筋１３の曲率よりもわずかに大きな曲率（横筋１３が底部分３０の曲率よりもわずかに小さい曲率）を有するから、横筋１３をラチス筋２６Ａ，Ｂの下端凹部２９の底部分３０の上に配置したときに、横筋１３が下端凹部２９の底部分３０の頂点に落下し、横筋１３が下端凹部２９の底部分３０に位置決めされ、横筋１３がずれ動くことはなく、横筋１３の前後方向のずれを防ぐことができるとともに、横筋１３を凸部１８の一定箇所に確実に当接させることができ、ラチス筋２６Ａ，Ｂに対する横筋１３の位置決めを別途行う必要はなく、横筋１３を凸部１８の頂部分２０に確実に溶接固定することができる。
【００７３】
スラブ構築材１０Ｂは、横筋１３が金属デッキ１１に作られた凸部１８の頂部分２０に溶接され、ラチス筋２６Ａ，Ｂの下端凹部２９が金属デッキ１１の上面１６に当接するだけであり、下端凹部２９が金属デッキ１１に溶接されることはないから、美観を損なうことがないことはもちろん、金属デッキ１１の下面１６に溶接跡が生じることがなく、金属デッキ１１の下面１６における錆の発生を防ぐことができる。
【００７４】
スラブ構築材１０Ｂは、第２フック２３近傍に延びる横筋１３の端部３１が凸部１８から金属デッキ１１の上面１６に向かって下方へ折り曲げられているから、横筋１３の端部３１がそれらフック２２，２３の係合の邪魔になることはなく、それらフック２２，２３をスムースに係合させることができ、複数のスラブ構築材１０Ｂを横方向へ繋げて所定面積のスラブ構築材１０Ｂの集合体を作ることができる。
【００７５】
スラブ構築材１０Ｂは、コンクリートの替わりとしてボイド３２が利用され、スラブ構築材１０Ｂの全域にコンクリートを打設する必要はなく、ボイド３２の体積分のコンクリートを省くことができるから、その分の手間と時間とを短縮することができるとともに、スラブ構築のコストを下げることができる。スラブ構築材１０Ｂは、それにコンクリートのみを打設する場合と比較し、ボイド３２の体積分のコンクリートを省くことができるから、スラブの軽量化を図ることができ、鉄骨建造物や鉄筋コンクリート建造物にかかる荷重を低減することができる。
【符号の説明】
【００７６】
１０Ａ    スラブ構築材
１０Ｂ    スラブ構築材
１１    金属デッキ
１２    鉄筋トラス
１３    横筋
１４Ａ，Ｂ    両側縁部
１５Ａ，Ｂ    両端縁部
１６    上面
１７    下面
１８    凸部
１９    両側部分
２０    頂部分
２１    突起
２２    第１フック（第１係合部）
２３    第２フック（第２係合部）
２４    上端筋
２５Ａ，Ｂ    下端筋
２６Ａ，Ｂ    ラチス筋
２７    上端凸部
２８    中間部
２９    下端凹部
３０    底部分
３１    端部
３２    ボイド
Ｌ１    高さ寸法
Ｌ２    直径
【図１】
2013163914.tif 000003
【図２】
2013163914.tif 000004
【図３】
2013163914.tif 000005
【図４】
2013163914.tif 000006
【図５】
2013163914.tif 000007
【図６】
2013163914.tif 000008
【図７】
2013163914.tif 000009
【図８】
2013163914.tif 000010
【図９】
2013163914.tif 000011
【図１０】
2013163914.tif 000012
【図１１】
2013163914.tif 000013